(57)【要約】【課題】ルーム情報を記憶した記憶部を含む制御ユニットが交換された場合に、不正入室を防ぐ。【解決手段】錠装置１は、情報記憶媒体から識別情報を読み取る情報読取部３と、部屋の扉の施解錠を制御する制御部６を備えた制御ユニット２とを備え、制御ユニット２は、ルーム情報を記憶する記憶部７と、制御ユニット２の錠装置１からの取り外しを検知する検知部８と、制御ユニット２の取り外しが検知されたときに、記憶部７に記憶されたルーム情報を不正解錠対策用情報に書き換える書換部９と、識別情報とルーム情報とを照合する照合部１０とを備え、制御部６は、照合部１０による照合の結果、照合情報が不正解錠対策用情報を示した場合には扉の解錠を禁止する。【選択図】図１
2014070402.tif 000002
【特許請求の範囲】
【請求項１】
部屋ごとに取り付けられ、前記部屋に固有の識別情報を記憶した情報記憶媒体を鍵として使用することで前記部屋の扉を施解錠する錠装置であって、
前記情報記憶媒体から前記識別情報を読み取る情報読取部と、
前記扉の施解錠を制御する制御部を備えた制御ユニットとを備え、
前記制御ユニットは更に、
前記識別情報に対応した照合情報を記憶する不揮発性の記憶部と、
前記制御ユニットの前記錠装置からの取り外しを検知する検知部と、
前記検知部で前記制御ユニットの取り外しが検知されたときに、前記記憶部に記憶した前記照合情報を不正解錠対策用情報に書き換える書換部と、
前記情報読取部で前記識別情報が読み取られたときに、前記識別情報と前記照合情報とを照合する照合部とを備え、
前記制御部は、前記照合部による照合の結果、前記照合情報が前記不正解錠対策用情報を示した場合には前記扉の解錠を禁止することを特徴とする錠装置。
【請求項２】
前記照合情報は、前記扉の解錠の許可又は禁止を示す解錠許否フラグを含み、
前記書換部は、前記照合情報を前記不正解錠対策用情報に書き換える際に、前記解錠許否フラグを禁止に設定することを特徴とする請求項１に記載の錠装置。
【請求項３】
前記錠装置は、前記制御部による制御に応じて前記扉の施解錠を駆動する駆動部と、
前記制御部と前記駆動部とを電気的に接続する電気回路とを備え、
前記検知部は、前記電気回路による接続が切断されたときに、前記制御ユニットの取り外しを検知することを特徴とする請求項１又は２に記載の錠装置。
【請求項４】
前記錠装置は、前記制御ユニットに電力を供給する電源ユニットを備え、
前記制御ユニットは、前記電源ユニットからの電力供給が切断されたときに、前記書換部を作動させて前記記憶部に記憶した前記照合情報を前記不正解錠対策用情報に書き換えるための電力を前記書換部に供給する書換用電源を備えることを特徴とする請求項１乃至３のいずれかに記載の錠装置。
【請求項５】
前記錠装置は、前記制御ユニットに電力を供給する電源ユニットを備え、
前記書換部は、前記電源ユニットから前記制御ユニットへの電力供給が切断された後で、前記電源ユニットから前記制御ユニットへの電力供給が再開されたときに、前記記憶部に記憶した前記照合情報を前記不正解錠対策用情報に書き換えることを特徴とする請求項１乃至３のいずれかに記載の錠装置。
【発明の詳細な説明】
【技術分野】
【０００１】
本発明は、情報記憶媒体を鍵として使用することで扉を施解錠する錠装置に関する。
【背景技術】
【０００２】
一般に、カードロック式の錠装置は、所定の部屋（領域）への入退室（入退場）を制限するために、該部屋の扉に設けられて該扉を電動で施解錠するもので、ルーム情報（照合情報）を予め記憶するフラッシュメモリ等の記憶部と、カードリーダーとを備え、カードリーダーを部屋の外側で且つ扉の近辺に設けている。この錠装置では、ＩＣカードや磁気カード等の情報記憶カードに記憶された識別情報を、カードリーダーに読み取らせると、読み取った識別情報とルーム情報とを照合してその照合結果に応じて扉の解錠の許否を判定し、許可される際に扉を電動で解錠している。
【０００３】
錠装置は、ルーム情報として入退室のログを記憶部に記憶することができ、これにより不正入室を管理することができる（特許文献１参照）。また、錠装置は、所定の電源から供給された電力で動作するが、フラッシュメモリ等の記憶部にルーム情報を記憶しているため、電力供給が切断されたときでも、ルーム情報が消去されることはない。
【先行技術文献】
【特許文献】
【０００４】
【特許文献１】特開２０１１−２２１９０７号公報
【発明の概要】
【発明が解決しようとする課題】
【０００５】
しかしながら、所定の扉に設けた錠装置が分解され、一の部屋のルーム情報を記憶した記憶部を含む制御ユニットが、他の部屋のルーム情報を記憶した記憶部を含む制御ユニットと交換されると、その扉は他の部屋に対応する情報記憶カードを用いて解錠可能となってしまう。この場合、所定の扉を施解錠した際の入退室のログは、他の部屋のルーム情報として記憶されるため、不正入室を管理することができなくなる。
【０００６】
例えば、制御ユニットが部屋の外側から取り外し可能な場合には、他の部屋の利用者によって制御ユニットを交換される可能性がある。また、制御ユニットが部屋の内側からのみ取り外し可能である場合でも、その部屋の運用業務に属してマスターカードやサブマスターカードを保有する従業員によって、不正に部屋に侵入されて制御ユニットが交換されることもある。
【０００７】
本発明は、上記した課題を解決すべくなされたものであり、ルーム情報を記憶した記憶部を含む制御ユニットが交換された場合でも、不正入室を防ぐことができる錠装置を提供することを目的とするものである。
【課題を解決するための手段】
【０００８】
上記課題を解決するために、本発明の第１の錠装置は、部屋ごとに取り付けられ、前記部屋に固有の識別情報を記憶した情報記憶媒体を鍵として使用することで前記部屋の扉を施解錠する錠装置であって、前記情報記憶媒体から前記識別情報を読み取る情報読取部と、前記扉の施解錠を制御する制御部を備えた制御ユニットとを備え、前記制御ユニットは更に、前記識別情報に対応した照合情報を記憶する不揮発性の記憶部と、前記制御ユニットの前記錠装置からの取り外しを検知する検知部と、前記検知部で前記制御ユニットの取り外しが検知されたときに、前記記憶部に記憶した前記照合情報を不正解錠対策用情報に書き換える書換部と、前記情報読取部で前記識別情報が読み取られたときに、前記識別情報と前記照合情報とを照合する照合部とを備え、前記制御部は、前記照合部による照合の結果、前記照合情報が前記不正解錠対策用情報を示した場合には前記扉の解錠を禁止することを特徴とする。
【０００９】
上述した本発明の第１の錠装置によれば、制御ユニットの錠装置からの取り外しを検知した場合に、記憶部に記憶されるルーム情報を不正解錠対策用情報に書き換えるため、該錠装置に対して正当な情報記憶媒体を使用しても、情報記憶媒体に記憶された識別情報と記憶部に記憶されたルーム情報との照合がエラーとなるため、扉を解錠することができず、不正入室を防ぐことができる。
【００１０】
また、本発明の第２の錠装置は、上述した本発明の第１の錠装置において、前記照合情報は、前記扉の解錠の許可又は禁止を示す解錠許否フラグを含み、前記書換部は、前記照合情報を前記不正解錠対策用情報に書き換える際に、前記解錠許否フラグを禁止に設定することを特徴とする。
【００１１】
上述した本発明の第２の錠装置によれば、扉の解錠の許可又は禁止を示す解錠許否フラグが照合情報に含まれるため、簡単な構成で扉の解錠を禁止することができる。
【００１２】
本発明の第３の錠装置は、上述した本発明の第１又は第２の錠装置において、前記錠装置は、前記制御部による制御に応じて前記扉の施解錠を駆動する駆動部と、前記制御部と前記駆動部とを電気的に接続する電気回路とを備え、前記検知部は、前記電気回路による接続が切断されたときに、前記制御ユニットの取り外しを検知することを特徴とする。
【００１３】
上述した本発明の第３の錠装置によれば、検知部は、制御ユニットの電気錠ユニットからの取り外しを確実に検知することができる。
【００１４】
本発明の第４の錠装置は、上述した本発明の第１乃至第３のいずれかの錠装置において、前記錠装置は、前記制御ユニットに電力を供給する電源ユニットを備え、前記制御ユニットは、前記電源ユニットからの電力供給が切断されたときに、前記書換部を作動させて前記記憶部に記憶した前記照合情報を前記不正解錠対策用情報に書き換えるための電力を前記書換部に供給する書換用電源を備えることを特徴とする。
【００１５】
上述した本発明の第４の錠装置によれば、制御ユニットが電源ユニットから取り外されて電源ユニットからの電力供給が切断されたときでも、非常用の電源を用いて記憶部の照合情報を不正解錠対策用情報に書き換えるため、扉の解錠を確実に禁止し、不正入室を防ぐことができる。
【００１６】
本発明の第５の錠装置は、上述した本発明の第１乃至第３のいずれかの錠装置において、前記錠装置は、前記制御ユニットに電力を供給する電源ユニットを備え、前記書換部は、前記電源ユニットから前記制御ユニットへの電力供給が切断された後で、前記電源ユニットから前記制御ユニットへの電力供給が再開されたときに、前記記憶部に記憶した前記照合情報を前記不正解錠対策用情報に書き換えることを特徴とする。
【００１７】
上述した本発明の第５の錠装置によれば、制御ユニットが電源ユニットから取り外されて電源ユニットからの電力供給が切断されたときでも、再稼働後直ぐに記憶部の照合情報を不正解錠対策用情報に書き換えるため、扉の解錠を確実に禁止し、不正入室を防ぐことができる。
【発明の効果】
【００１８】
本発明によれば、ルーム情報を記憶した記憶部を含む制御ユニットが交換された場合でも、不正入室を防ぐことができる。
【図面の簡単な説明】
【００１９】
【図１】本発明の一実施形態に係る錠装置の概略を示すブロック図である。
【図２】本発明の一実施形態に係る錠装置の動作を示すフローチャートである。
【発明を実施するための形態】
【００２０】
本発明の一実施形態に係る錠装置について、添付の図面を参照しながら説明する。図１は、本発明の一実施形態に係る錠装置の構成の概略を示す模式図、図２は、本発明の一実施形態に係る錠装置の動作を示すフローチャートである。
【００２１】
錠装置１は、所定の部屋（領域）への入退室（入退場）を制限するために、部屋の扉や扉枠に取り付けられ、各部屋に固有の識別情報を記憶した情報記憶媒体を鍵として使用することでこの扉を施解錠するものである。錠装置１は、該錠装置１の動作を制御する制御ユニット２と、情報記憶媒体から識別情報を読み取って制御ユニット２に送る情報読取部３と、制御ユニット２に制御されて所定の扉を電動で施解錠する電気錠ユニット４と、各部に電力を供給する電源ユニット５とを備える。
【００２２】
制御ユニット２は、情報読取部３や電気錠ユニット４の動作を統括制御する制御部６と、各部屋に固有のルーム情報（照合情報）を記憶する記憶部７と、制御ユニット２の錠装置１からの取り外しを検知する検知部８と、記憶部７に記憶されたルーム情報を書き換える書換部９と、識別情報とルーム情報とを照合する照合部１０とを備える。制御ユニット２は、部屋の外側で、扉の表面や扉枠の近傍に設けられる室外側ユニットである。
【００２３】
制御部６は、電源ユニット５から電力供給を受けて作動するＣＰＵ（Ｃｅｎｔｒａｌ  Ｐｒｏｃｅｓｓｉｎｇ  Ｕｎｉｔ）等のコンピュータにより構成されている。制御部６は、電気錠ユニット４、特に駆動部１１と電気的に接続されており、制御部６と駆動部１１との間（制御ユニット２と電気錠ユニット４との間）でループ回路（電気回路）１２が構成され、駆動部１１の駆動を制御する。また、制御部６は、検知部８から制御ユニット２の取り外しの通知を受け取り、この通知に応じて書換部９に対してルーム情報の不正解錠対策用情報への書き換えを指示する。この不正解錠対策用情報は、照合部１０の照合結果に拘らず解錠を禁止することを示す情報である。更に、制御部６は、情報読取部３に接続されて、情報読取部３で読み取られた情報記憶媒体の識別情報を受信し、この識別情報の受信に応じて照合部１０に照合を指示する。また、制御部６は、照合部１０による照合結果に応じて扉の解錠の許可又は禁止を決定する。
【００２４】
記憶部７は、錠装置１が設けられる部屋のルーム情報を書き換え可能に記憶し、電力供給が切断されても記憶したデータが消去されないフラッシュメモリ等の不揮発性メモリであり、制御部６によってデータの読み出しや書き込みが行われる。ルーム情報は、その部屋に係る識別情報と対応していて、例えば、部屋の物件情報、部屋番号、チェックイン時間、チェックアウト時間、情報記憶媒体の発行回数、解錠許否フラグ等を含む。この解錠許否フラグは、扉の解錠の許可又は禁止を示す。なお、記憶部７に記憶されたルーム情報は、ＤＴＵ等の外部設定機器（図示せず）を操作することで、赤外線通信等によって書き換えデータを制御ユニット２に送信することにより書き換え可能である。
【００２５】
検知部８は、制御ユニット２が錠装置１から取り外されたことを検知する検知回路である。検知部８は、例えば、ループ回路１２に接続されてこのループ回路１２の電気信号レベルを監視し、この電気信号レベルの変化に基づいて制御ユニット２と電気錠ユニット４との接続切断を検出した場合に、制御ユニット２の取り外しを検知して制御部６に通知する。
【００２６】
書換部９は、制御部６の指示に応じて動作するプログラム等でよく、制御部６からの書き換え指示に応じて記憶部７に記憶されたルーム情報を書き換える。書換部９は、例えば、ルーム情報の不正解錠対策用情報への書き換え指示を制御部６から受けて、記憶部７に記憶されたルーム情報を不正解錠対策用情報に書き換え、例えば、解錠許否フラグを禁止に設定する。
【００２７】
照合部１０は、制御部６の指示に応じて動作するプログラム等でよく、制御部６からの照合指示に応じて識別情報とルーム情報とを照合する。照合部１０は、例えば、情報読取部３から制御部６に送られる識別情報と、記憶部７から読み出されるルーム情報とを照合して、例えば両者が一致するか否かを判定し、その判定結果を制御部６に通知する。このとき、照合部１０は、照合情報が不正解錠対策用情報を示した場合には、解錠の禁止を制御部６に通知し、他方、例えば両者が一致した場合等の照合結果が正当である場合には、解錠の許可を制御部６に通知する。
【００２８】
情報読取部３は、ＩＣカードや磁気カード等の非接触式の情報記憶媒体から識別情報を読み取る検知アンテナ１３と、制御ユニット２と通信を行う通信アンテナ１４とを備え、部屋の外側で、扉の表面や扉枠の近傍に設けられる室外側ユニットであり、例えばカードリーダーでよい。
【００２９】
検知アンテナ１３は、情報記憶媒体が情報読取部３に接近したことを検知するためのアンテナである。検知アンテナ１３から、情報記憶媒体の接近を検知するための検知信号としての検知電波が送信され、この検知電波が情報記憶媒体に反射した反射波が検知アンテナ１３により受信される。
【００３０】
通信アンテナ１４は、ＩＣカードとしての情報記憶媒体と制御ユニット２との間で情報の通信等を行うためのアンテナである。通信アンテナ１４からは、情報記憶媒体に電力を発生させるための電波が発せられ、この電波を受けて起動した情報記憶媒体から送信された識別情報が通信アンテナ１４により受信され、制御ユニット２へと送られる。なお、検知アンテナ１３と通信アンテナ１４とを機能的に分けて説明したが、これらを単一のアンテナで実現することもできる。
【００３１】
電気錠ユニット４は、デッドボルト（図示せず）と、デッドボルトを移動させるための電動アクチュエータ（図示せず）と、電動アクチュエータを駆動するモーター等の駆動部１１を備え、扉の内部に設けられる扉内ユニットである。電気錠ユニット４は、デッドボルトを扉から突出するように移動させた状態で固定することにより、扉を施錠して開扉不能にし、他方、デッドボルトを扉内に引き込むように移動させることにより、扉を解錠して開扉可能にする。
【００３２】
電源ユニット５は、部屋の内側で、扉の表面や扉枠の近傍に設けられる室内側ユニットで、部屋ごとに別個に設けられる３Ｖの電源部１５を備える。また、電源ユニット５は、各部屋に引き込まれる商用電源から分岐した電力を供給するように構成されてもよい。
【００３３】
次に、このような構成を備えた錠装置１の動作について図２のフローチャートを参照しながら説明する。
【００３４】
まず、錠装置１では、ＤＴＵ等の外部設定機器（図示せず）により、記憶部７にルーム情報を設定する（ステップＳ１）。このとき、解錠許否フラグは許可に設定される。
【００３５】
その後、錠装置１の検知部８では、ループ回路１２の電気信号レベルが監視されて制御ユニット２と電気錠ユニット４との接続が切断されたか否かが検出され、すなわち制御ユニット２が取り外されたか否かが検知される（ステップＳ２）。ここで、制御ユニット２の取り外しが検知されると、検知部８から制御部６へと制御ユニット２の取り外しが通知され、制御部６では、ルーム情報の不正解錠対策用情報への書き換えが書換部９に指示される（ステップＳ３）。ステップＳ３では、書換部９によって、記憶部７に記憶されたルーム情報の解錠許否フラグが禁止に書き換えられる。
【００３６】
また、錠装置１では、情報記憶媒体を情報読取部３に接近させると、情報記憶媒体に記憶された識別情報が情報読取部３によって読み取られ、制御部６に送信される（ステップＳ４）。
【００３７】
制御部６では、情報読取部３から識別情報が受信されると、記憶部７からルーム情報を読み出し、照合部１０に対して照合が指示される。照合部１０では、この照合指示に応じて、制御部６に送信された識別情報と、記憶部７から読み出されたルーム情報とが照合される（ステップＳ５）。ここで、照合部１０では、解錠許否フラグが禁止を示す場合（照合情報が不正解錠対策用情報を示した場合）や照合結果が不当である場合には解錠の禁止が制御部６に通知され（ステップＳ７）、他方、識別情報と照合情報が一致する等、照合結果が正当である場合には解錠の許可が制御部６に通知される（ステップＳ６）。
【００３８】
ステップＳ６では、その後、制御部６によって、電気錠ユニット４に対して解錠が指示され、電気錠ユニット４では、駆動部１１を駆動して電動アクチュエータにデッドボルトを移動させ、扉内に引き込むことにより、扉を解錠して開扉可能にする。
【００３９】
他方、ステップＳ７では、制御部６から電気錠ユニット４に解錠が指示されないため、扉が解錠されず開扉不可能である。
【００４０】
その後、錠装置１では、検知部８による制御ユニット２の取り外しの検知や、情報読取部３による情報記憶媒体の読み取りの受け付けが繰り返される。なお、記憶部７では、不正解錠対策用情報に書き換えられたルーム情報は、外部設定機器によって書き換えられるまで、不正解錠対策用情報の設定が維持される。この場合、錠装置１では、その部屋の利用者が保有する情報記憶媒体のみならず、その部屋の運用業務に属する従業員が保有するマスターカードやサブマスターカードによっても、扉を解錠することができず開扉不可能である。
【００４１】
本実施形態では上述のように、制御ユニット２の錠装置１からの取り外しを検知した場合に、制御ユニット２の記憶部７に記憶されるルーム情報を不正解錠対策用情報に書き換えるため、該錠装置１に対して正当な情報記憶媒体を使用しても、情報記憶媒体に記憶された識別情報と記憶部７に記憶されたルーム情報との照合がエラーとなるため、扉を解錠することができない。従って、例えば、一の部屋の錠装置１から制御ユニット２を取り外して他の部屋の錠装置の制御ユニットと交換した場合や、この交換後に、取り外した制御ユニット２を一の部屋の錠装置１に正常に戻した場合には、扉を解錠することができないため、不正入室を防ぐことができる。
【００４２】
本実施形態では、書換部９は、プログラム等で構成されて制御部６により実行可能と説明したが、他の異なる実施形態では、制御部６とは別個に設けられる回路として構成し、記憶部７及び検知部８と直接接続させて、制御ユニット２の取り外しを検知部８から直接通知され、記憶部７に直接アクセスしてルーム情報を不正解錠対策用情報に書き換えるように構成してもよい。
【００４３】
また、本実施形態では、検知部８で制御ユニット２と電気錠ユニット４との接続が切断されたことを検出した場合に、制御ユニット２の錠装置１からの取り外しを検知することを説明したが、他の異なる実施形態では、検知部８で制御ユニット２と電源ユニット５との接続が切断されたことを検出した場合に、制御ユニット２の錠装置１からの取り外しを検知するように構成してもよい。
【００４４】
更に、他の異なる実施形態では、制御ユニット２は、電源ユニット５からの電力供給が切断されたときに作動する別個の非常用電源（書換用電源）を備えて構成されてもよい。これにより、検知部８で制御ユニット２と電源ユニット５との接続が切断されたことを検出して制御ユニット２の錠装置１からの取り外しを検知した場合でも、制御ユニット２は、書換用電源からの電力供給を受けて動作し、書換部９によって記憶部７に記憶されたルーム情報を不正解錠対策用情報に書き換えることができる。
【００４５】
また更に、他の異なる実施形態では、書換部９は、電源ユニット５からの電力供給が切断された後で、電源ユニット５から制御ユニット２への電力供給が再開されたとき（再稼働時）に、記憶部７に記憶されたルーム情報を不正解錠対策用情報に書き換えるように構成されてもよい。
【００４６】
本発明の錠装置は、複数の部屋のそれぞれに設けて、各部屋に固有の情報記憶媒体やマスターカード等と共に電気錠システムを構成することもできる。また本発明の錠装置が適用される電気錠システムは、複数の部屋を備えたホテル、オフィスビル、病院、リクリエーション施設、店舗、ショッピングセンター、学校等、様々な建物に適用することが可能である。
【００４７】
また、本発明は、請求の範囲および明細書全体から読み取ることのできる発明の要旨または思想に反しない範囲で適宜変更可能であり、そのような変更を伴う錠装置もまた本発明の技術思想に含まれる。
【符号の説明】
【００４８】
１  錠装置
２  制御ユニット
３  情報読取部
４  電気錠ユニット
５  電源ユニット
６  制御部
７  記憶部
８  検知部
９  書換部
１０  照合部
１１  駆動部
１２  ループ回路（電気回路）
１３  検知アンテナ
１４  通信アンテナ
１５  電源部
【図１】
2014070402.tif 000003
【図２】
2014070402.tif 000004